(57)【要約】【課題】手の届かない背中に自分で薬、美容液、クリームを塗ることが出来るとともに、病気や怪我などで入浴出来ないときに自分で背中を拭き、背中を清潔にするための道具を提供する。【解決手段】先端部分の盛り上がった土台にコットン又はガーゼをあて、真ん中をくりぬいた蓋でコットン又はガーゼを固定し、コットン又はガーゼに薬、美容液、クリームをつけ、背中に塗る。背中を拭く場合は、水又は湯をつける。柄は湾曲に大きく曲がっているので、肩の上からも脇の下からも胴の横からも、先端部分を背中へ廻すことが出来る。先端部分と柄とのつなぎ目は角度が自由に変わる方式で背中の凹凸に対応出来る。【選択図】図１
2010137035.tif 000002
【特許請求の範囲】
【請求項１】
背中の手の届かないところに、自分で薬、美容液、クリームを塗ることが出来るとともに、病気や怪我などで入浴出来ないときに自分で背中を拭き、背中を清潔にするための道具として、先端部分の土台にコットン又はガーゼをあて、真ん中をくりぬいた形状の蓋で、コットン又はガーゼを挟んで固定し、そのコットン又はガーゼに薬、美容液、クリームをつけて背中に塗る。背中を拭くときは、コットン又はガーゼに水又は湯をつけて使用する。柄は湾曲に大きく曲げた形状で、肩の上からも脇の下からも胴の横からも、先端部分を背中に廻せる。先端部分と柄とのつなぎ目は、片方が球型で、もう片方がその球型の部分を包みこむ方式でつなぎ、自由に角度が変わり、背中の凹凸に対応でき、背中の全体に対処することができる看護・美容用具。
【発明の詳細な説明】
【技術分野】
【０００１】皮膚の病気・炎症の薬を自分一人で背中に塗る道具として、また、病気や怪我などで入浴が出来ない場合に自分一人で背中を拭き清潔にするための道具として介護の分野である。【０００２】肌ケアのための美容液やクリームを塗る道具として美容の分野である。
【背景技術】
【０００３】一人暮らしや家族の方が留守のときに、自分一人で背中に薬、美容液、クリームを塗ることは困難であるし、片手に怪我をしている場合など、病気や怪我などで入浴出来ないときに自分一人で背中を拭いて清潔にすることは困難な場合がある。その解決策としての道具が必要である。先端部分がローラー方式のものや、先端が固定されている方式のものでは背中の凹凸に対応出来ないうえに、清潔ではなく、先端部分を洗うのは手間であるうえに、乾くまでは使用できない。乾くまで使用できなければ、同居家族での複数人数での使用が困難である。それと、柄が真っすぐな構造や曲がりの少ない構造の柄では、背中に塗る際、肩の上から先端部分を背中に廻すことは出来ても、脇の下からや胴の横からも、先端部分を背中に廻して使用するには難しく、柄の構造に工夫が必要である。それと、柄が分割型の組み立て方式だと、乾燥肌の方が入浴の後に薬を塗る際には一刻も早いほうがいいため、有効ではない。以上のような背景があり、この発明に至った。
【発明の開示】
【発明が解決しようとする課題】
【０００４】背中の手の届かないところに、薬、美容液、クリームを自分一人で塗ることが出来ない場合に、この発明が解決する。【０００５】片手を怪我している場合など病気や怪我などで入浴が出来ないとき、自分一人で背中を拭いて清潔にすることが困難なので、この発明が解決する。【０００６】先端部分に直接に薬などをつける方式だと清潔でなく、洗う手間がかかり、洗うと乾くまでは使用できないので、この発明が解決する。【０００７】薬などをつける先端部分がローラー方式や固定の方式だと背中の凹凸に対応できないため、この発明が解決する。【０００８】柄が真っすぐな形状のものや、曲がりが少ない形状だと先端部分を背中に廻しにくいという問題や、柄が分割の組み立て方式だと乾燥肌の方の入浴後など一刻も早く背中に塗らなければならない場合に対応できないという問題も、この発明が解決する。
【課題を解決するための手段】
【０００９】背中の手の届かないところに、薬、美容液、クリームを自分一人で塗ることが出来ない場合の解決手段として、先端部分のコットン又はガーゼに薬をつけて背中に塗ることで解決する。【００１０】片手を怪我している場合など病気や怪我などで入浴が出来ないとき、自分一人で背中を拭いて清潔にすることが困難なときの解決手段として、先端部分のコットン又はガーゼに水や湯をつけて背中を拭くことで解決する。【００１１】先端部分に直接に薬などをつける方式だと清潔でなく、洗う手間がかかり、洗うと乾くまでは使用できないことへの解決手段として、先端部分は簡単に取り換え可能な方式でコットン又はガーゼを使用するため、コットン又はガーゼを取り換えることで、いつでも清潔で、先端部分を洗う手間はなく、洗わないので、乾くまで使用出来ないという問題も解決する。【００１２】薬などをつける先端部分がローラー方式や固定の方式だと背中の凹凸に対応できないことへの解決手段として、薬などをつける先端部分と柄とのつなぎ目を自由に角度が変わる方式とすることで解決する。【００１３】柄が真っすぐな形状のものや、曲がりが少ない形状だと先端部分を背中に廻しにくいことへの解決手段として、柄を湾曲した大きく曲がった構造にすることで、先端部分を肩の上からも、脇の下からも、胴の横からも背中に廻すことが出来る。また、乾燥肌の方の入浴後の一刻も早く背中に塗らなければならない場合も組み立て方式ではないので、素早く塗れる。
【発明の効果】
【００１４】この発明により、背中の手の届かないところに、薬、美容液、クリームなどを塗ることが可能となり、先端部分に水や湯をつけることで背中を拭き清潔にすることも可能となる。先端部分はコットン又はガーゼの取り換え方式なので、いつも清潔で、使用後に先端部分を洗う必要もなく、乾かす必要もない。先端部分と柄とのつなぎ目は自由に角度が変わる方式で、背中の凹凸に対応でき背中全体に対処出来る。柄は湾曲に大きく曲がっており、肩の上からも脇の下からも胴の横からも背中に廻して背中全体に対処でき、しかも、使いやすい。これらの複数の効果がある。
【発明を実施するための最良の形態】
【００１５】コットン又はガーゼを取り付ける先端部分の土台は、使用しやすくするため、少し膨らんだ構造とする。コットン又はガーゼを挟む蓋は使用する際に邪魔にならない厚みとし、また、コットン又はガーゼを取り付ける土台の端は蓋が収まるようにある程度の窪みを設ける。蓋は背中に擦れても痛くないように表面をツルツルにする。コットン又はガーゼの取り付け方は、土台と蓋の片方ずつを回転式でつなぎ、もう片方ずつは、土台には小さな爪を設け、蓋には土台の爪が引っかかるための爪の受けを設け、土台の上にコットン又はガーゼをあて、その上から蓋を閉め、爪が引っかかるとコットン又はガーゼを挟んだ際に蓋が開かない方式とし、手の力で簡単に蓋を開いたり閉じたり出来る開閉式の構造とする。土台や蓋の形は円形が望ましいが、四角や三角などでもよい。その際、コットン又はガーゼの形も土台や蓋の形に合わせて製造する。コットン又はガーゼや、それを取り付ける土台の大きさは、大きすぎると薬などを早く消耗してしまうが、小さすぎると背中に塗るのに時間がかかるため適度な大きさを要する。コットン又はガーゼは土台の大きさに合うものを製造する。柄は湾曲に大きく曲がった構造とする。先端部分と柄とのつなぎ目は、角度が自由の動く方式であるが、動きが硬すぎても柔らかすぎても使いにくいので、背中の凹凸に対応できる程度の動きが出来る硬さとする。コットン又はガーゼ以外の、先端部分、蓋、柄、つなぎ目の素材は軽くて使いやすい素材とし、プラスチックなどがよい。
【産業上の利用の可能性】
【００１６】本発明に関る道具は量産出来るため産業上の利用の可能性を有する。
【図面の簡単な説明】
【図１】この発明の斜視図で、コットン又はガーゼを挟んだ状態である。
【図２】この発明の正面図で、コットン又はガーゼを取り付ける先端部分を正面から見て、コットン又はガーゼを挟む蓋を開いた状態である。
【図３】この発明を真横から見た図で、コットン又はガーゼを挟んだ状態である。
【図４】この発明を真上から見た図で、コットン又はガーゼを挟む蓋を開いた状態である。
【符号の説明】
１  柄
２  先端部分と柄とのつなぎ目
３  コットン又はガーゼを土台に挟む蓋
４  土台
５  土台に蓋を固定させるための爪の受け
６  土台に蓋を固定させるための爪
７  土台と蓋とをつなぐ開閉式のつなぎ目
【図１】
2010137035.tif 000003
【図２】
2010137035.tif 000004
【図３】
2010137035.tif 000005
【図４】
2010137035.tif 000006